(57)【要約】【課題】試験データの作成の手間をなくす。現場に近い環境で評価試験を行えるようにする。【解決手段】被試験監視システム１００に対して試験評価装置２００（パソコン４、シーケンサ５）を設ける。稼働中の他の監視システムにおいて実際に収集したデータ（時系列データ）を現場収集データとしてパソコン４に与える。パソコン４より現場収集データをシーケンサ５へ送る。シーケンサ５は、パソコン４からの現場収集データを試験データとし、被試験監視システム１００に順次投入する。中央監視装置１が収集した試験データを収集試験データとしてパソコン４へ与え、投入した現場収集データとの一致・不一致を判断する。【選択図】        図１
2004227125.tif 000002
【特許請求の範囲】
【請求項１】
被試験監視システムに試験データを投入し、この被試験監視システムにおいて実行される機能の実行結果を評価する監視システムの試験評価装置であって、
稼働中の他の監視システムにおいて実際に収集されたデータを現場収集データとして取り込む現場収集データ取込手段と、
この現場収集データ取込手段によって取り込まれた現場収集データを試験データとして前記被試験監視システムに投入する試験データ投入手段と
を備えたことを特徴とする監視システムの試験評価装置。
【請求項２】
被試験監視システムに試験データを投入し、この被試験監視システムにおいて実行される機能の実行結果を評価する監視システムの試験評価装置であって、
稼働中の他の監視システムにおいて実際に収集されたデータを現場収集データとして取り込む現場収集データ取込手段と、
この現場収集データ取込手段によって取り込まれた現場収集データを試験データとして前記被試験監視システムに投入する試験データ投入手段と、
前記被試験監視システムにおいて実行されるデータ収集機能によって収集された前記試験データを収集試験データとして取り込む収集試験データ取込手段と、
この収集試験データ取込手段によって取り込まれた収集試験データと前記試験データとして投入した現場収集データとが一致しているとの判断結果を得てその何れか一方を試験合格データとして保存する試験合格データ保存手段と
を備えたことを特徴とする監視システムの試験評価装置。
【請求項３】
被試験監視システムに試験データを投入し、この被試験監視システムにおいて実行される機能の実行結果を評価する監視システムの試験評価装置であって、
稼働中の他の監視システムにおいて実際に収集されたデータを現場収集データとして取り込む現場収集データ取込手段と、
この現場収集データ取込手段によって取り込まれた現場収集データを試験データとして前記被試験監視システムに投入する試験データ投入手段と、
前記被試験監視システムにおいて実行されるデータ収集機能によって収集された前記試験データを収集試験データとして取り込む収集試験データ取込手段と、
この収集試験データ取込手段によって取り込まれた収集試験データと前記試験データとして投入した現場収集データとが一致しているとの判断結果を得てその何れか一方を試験合格データとして保存する試験合格データ保存手段と、
この試験合格データ保存手段が保存している試験合格データより自動試験項目として選定された機能を実行するためのデータを取り出し、この取り出したデータを試験データとして前記被試験監視システムに投入し、この被試験監視システムにおける前記選定された機能の実行結果と前記試験合格データを編集して得られるその実行結果に対するデータとを比較し、前記選定された機能の実行結果の合否を判定する自動試験手段と
を備えたことを特徴とする監視システムの試験評価装置。
【発明の詳細な説明】
【０００１】
【発明の属する技術分野】
この発明は、被試験監視システムに試験データを投入し、この被試験監視システムにおいて実行される機能の実行結果を評価する監視システムの試験評価装置に関するものである。
【０００２】
【従来の技術】
従来より、建物などには、室内温度や室内湿度などの管理ポイントの状態を監視する監視システムが設けられている。この監視システムに対しては、現場に納入する前の工場出荷段階で、各種機能についての評価試験を行っている（非特許文献１参照）。
【０００３】
図７を用いて従来の評価試験方法について説明する。同図において、１００は被試験監視システムであり、中央監視装置１と上位コントローラ２と下位コントローラ３とを備えている。この被試験監視システム１００において、中央監視装置１と上位コントローラ２との間、上位コントローラ２と下位コントローラ３との間は、現場における設置状態を想定して通信線Ｌ１，Ｌ２で接続されている。なお、この例では、上位コントローラ２や下位コントローラ３を１つしか示していないが、上位コントローラ２や下位コントローラ３は複数存在する。
【０００４】
〔データ収集機能の評価試験〕
中央監視装置１は、その機能の１つとして、データ収集機能を備えている。例えば、管理ポイントを室内温度とした場合、中央監視装置１はその室内温度を１分周期で収集する。
【０００５】
このデータ収集機能の評価試験を行うために、従来は、オペレータが室内温度の時系列データｄ１〜ｄｎ（図８（ａ）参照）を試験データとして作成し、この試験データｄ１〜ｄｎを下位コントローラ３へ与え、上位コントローラ２を介して中央監視装置１に収集させていた。そして、この中央監視装置１が収集した試験データｄ１’〜ｄｎ’（図８（ｂ）参照）を中央監視装置１におけるデータ収集機能の実行結果として入手し、この入手した実行結果ｄ１’〜ｄｎ’（出力データ）と投入した試験データｄ１〜ｄｎ（入力データ）とをオペレータが比較することにより、データ収集機能の実行結果の合否を判定するようにしていた。
【０００６】
【非特許文献１】
Ｓａｖｅｍａｉｔｉｏｎ    Ｒｅｖｉｅｗ（１９８８年６月、「Ｓａｖｉｃ−ｎｅｔ」）
【０００７】
【発明が解決しようとする課題】
しかしながら、このような監視システムの評価試験方法によると、下位コントローラ３への試験データをオペレータが作成しており、この試験データの作成に手間がかかっていた。また、作成される試験データは規則的なデータ変化とされる場合が多く、不自然であり、現場に近い環境での評価試験とはいえなかった。
【０００８】
本発明はこのような課題を解決するためになされたもので、その目的とするところは、試験データの作成の手間をなくすとともに、現場に近い環境で評価試験を行うことのできる監視システムの試験評価装置を提供することにある。
【０００９】
【課題を解決するための手段】
このような目的を達成するために、第１発明（請求項１に係る発明）は、稼働中の他の監視システムにおいて実際に収集されたデータを現場収集データとして取り込む現場収集データ取込手段と、この現場収集データ取込手段によって取り込まれた現場収集データを試験データとして被試験監視システムに投入する試験データ投入手段とを設けたものである。
この発明によれば、すでに現場に納入され稼働している他の監視システムにおいて実際に収集されたデータが、現場収集データとして試験評価装置に与えられる。試験評価装置は、取り込んだ現場収集データを試験データとして被試験監視システムに投入する。なお、現場収集データは、フレキシブルディスクなどの記憶媒体を介して試験評価装置に与えるようにしてもよく、稼働中の他の監視システムからオンラインで与えるようにしてもよい。
【００１０】
第２発明（請求項２に係る発明）は、第１発明の構成に加え、被試験監視システムにおいて実行されるデータ収集機能によって収集された試験データを収集試験データとして取り込む収集試験データ取込手段と、この収集試験データ取込手段によって取り込まれた収集試験データと試験データとして投入した現場収集データとが一致しているとの判断結果を得てその何れか一方を試験合格データとして保存する試験合格データ保存手段とを設けたものである。
この発明によれば、すでに現場に納入され稼働している他の監視システムにおいて実際に収集されたデータが、現場収集データとして試験評価装置に与えられる。試験評価装置は、取り込んだ現場収集データを試験データとして被試験監視システムに投入する。被試験監視システムでは、データ収集機能を実行することによって、投入された試験データを収集する。このデータ収集機能によって収集された試験データが収集試験データとして試験評価装置に与えられる。試験評価装置は、取り込まれた収集試験データと試験データとして投入した現場収集データとが一致している場合、その何れか一方を試験合格データとして保存する。
なお、現場収集データや収集試験データは、フレキシブルディスクなどの記憶媒体を介して試験評価装置に与えるようにしてもよく、稼働中の他の監視システムからオンラインで与えるようにしてもよい。
また、収集試験データと現場収集データとが一致しているか否かの判断は、オペレータに行わせるようにしてもよいし、自動的に行わせるようにしてもよい。例えば、収集試験データのトレンドグラフと現場収集データのトレンドグラフを印刷し、重ねて見比べるなどして、一致しているか否かをオペレータに判断させる。また、収集試験データのトレンドグラフと現場収集データのトレンドグラフとを画面上で重ね合わせ、一致しているか否かを自動的に判断させる。
【００１１】
第３発明（請求項３に係る発明）は、第２発明の構成に加え、試験合格データ保存手段が保存している試験合格データより自動試験項目として選定された機能を実行するためのデータを取り出し、この取り出したデータを試験データとして被試験監視システムに投入し、この被試験監視システムにおける選定された機能の実行結果と試験合格データを編集して得られるその実行結果に対するデータとを比較し、選定された機能の実行結果の合否を判定する自動試験手段とを設けたものである。
この発明によれば、自動試験項目として所望の機能が選定されると、試験評価装置は、その選定された機能を実行するためのデータを保存されている試験合格データより取り出し、この取り出したデータを試験データとして被試験監視システムに投入する。被試験監視システムでは、投入された試験データを利用し、選定された機能を実行する。この選定された機能の実行結果が試験評価装置に与えられる。試験評価装置は、被試験監視システムにおける選定された機能の実行結果とその実行結果に対するデータ（試験合格データを編集して得られるデータ）とを比較し、選定された機能の実行結果の合否を判定する。
【００１２】
【発明の実施の形態】
以下、本発明を図面に基づいて詳細に説明する。図１は本発明の一実施の形態を用いた試験システムの構成図である。同図において、図７と同一符号は図７を参照して説明した構成要素と同一或いは同等構成要素を示し、その説明は省略する。
【００１３】
この試験システムでは、被試験監視システム１００に対して、試験評価装置２００を設けている。試験評価装置２００は、パーソナルコンピュータ（以下、パソコンと略す）４とシーケンサ５とによって構成されている。パソコン４は中央監視装置１と通信線Ｌ１を介して接続されている。シーケンサ５は、パソコン４と被試験監視システム１００との間に設けられ、パソコン４から送られてくるデータを試験データとして下位コントローラ３へ投入する。
【００１４】
図２にパソコン４を中心とする試験評価装置２００のハード構成の概略を示す。同図において、４ＡはＣＰＵ、４ＢはＲＡＭ、４ＣはＲＯＭ、４Ｄはハードディスクなどの記憶装置、４Ｅはディスプレイ、４Ｆはフレキシブルディスクドライブ（ＦＤＤ）、４ＧはＣＤ−ＲＯＭドライブ、４Ｈはマウス、４Ｉはキーボード、４Ｊ〜４Ｐはインターフェイスである。
【００１５】
ＣＰＵ４Ａは、インターフェイス４Ｊ〜４Ｐを介して与えられる各種入力情報を得て、ＲＡＭ４Ｂにアクセスしながら、ＲＯＭ４Ｃや記憶装置４Ｄに格納されているプログラムに従って動作する。記憶装置４Ｄには本実施の形態特有のプログラムとして自動試験準備プログラムや自動試験プログラムが格納されている。これらプログラムは、例えばＣＤ−ＲＯＭなどの記録媒体に記録された状態で提供され、この記録媒体から読み出されて記憶装置４Ｄにインストールされている。
【００１６】
〔自動試験準備：自動試験用の試験合格データ作成〕
図３はＣＰＵ４Ａが実行する自動試験準備プログラムを示すフローチャートである。ＣＰＵ４Ａは、ＦＤＤ４Ｆにセットされているフレキシブルディスクから、被試験監視システム１００と同等の稼働中の他の監視システムにおいて実際に収集されＣＳＶ（Ｃｏｎｍａ    Ｓｅｐａｒａｔｅ    Ｖａｌｕｅ）ファイル形式で記録されているデータ（１分周期で収集された管理ポイントの時系列データ）を現場収集データとして取り込む（ステップ３０１）。ＣＰＵ４Ａは、この自動試験準備プログラムに従うステップ３０１において、現場収集データ取込手段として作用する。なお、パソコン４と稼働中の他の監視システムの中央監視装置とをネットワークで結び、オンラインで現場収集データをパソコン４へ与えるようにしてもよい。
【００１７】
ＣＰＵ４Ａは、取り込んだ現場収集データをシーケンサ５へ送るとともに（ステップ３０２）、被試験監視システム１００の中央監視装置１へデータ収集機能の実行指令を送る（ステップ３０３）。例えば、稼働中の他の監視システムにおいて実際に収集した室内温度の時系列データをＤ１〜Ｄｎ（図５（ａ）参照）とした場合、この時系列データＤ１〜Ｄｎをシーケンサ５へ送るとともに、この時系列データＤ１〜Ｄｎの収集指令を中央監視装置１へ送る。
【００１８】
シーケンサ５は、パソコン４から送られてきた室内温度の時系列データＤ１〜Ｄｎ（現場収集データ）を試験データとし、被試験監視システム１００に順次投入する。この時、パソコン４およびシーケンサ５は、試験データ投入手段として作用する。中央監視装置１は、この被監視システム１００に投入された試験データＤ１〜Ｄｎを、下位コントローラ３および上位コントローラ２を介して試験データＤ１’〜Ｄｎ’（図５（ｂ）参照）として収集する。このパソコン４からのシーケンサ５を介する被監視システム１００への現場収集データの投入により、オペレータによる試験データの作成の手間をなくすことができると同時に、現場に近い環境で評価試験を行うことができる。
【００１９】
ＣＰＵ４Ａは、中央監視装置１が収集した試験データＤ１’〜Ｄｎ’を収集試験データとして取り込み（ステップ３０４）、この収集試験データＤ１’〜Ｄｎ’と試験データとして投入した現場収集データＤ１〜Ｄｎとの一致・不一致を判断する（ステップ３０５）。例えば、現場収集データＤ１〜Ｄｎのトレンドグラフと収集試験データＤ１’〜Ｄｎ’のトレンドグラフとを画面上で重ね合わせ、そのずれが許容幅以内であれば、両者は一致しているものと判断する。なお、現場収集データＤ１〜Ｄｎのトレンドグラフと収集試験データＤ１’〜Ｄｎ’のトレンドグラフを印刷し、重ねて見比べるなどして、一致しているか否かをオペレータに判断させるようにしてもよい。
【００２０】
ＣＰＵ４Ａは、収集試験データＤ１’〜Ｄｎ’と現場収集データＤ１〜Ｄｎとが一致しているとの判断結果が得られると（ステップ３０６のＹＥＳ）、収集試験データＤ１’〜Ｄｎ’を試験合格データとしてＣＳＶファイル形式で記憶装置４Ｄに保存する（ステップ３０７）。ＣＰＵ４Ａは、この自動試験準備プログラムに従うステップ３０４において、収集試験データ取込手段として作用する。また、この自動試験準備プログラムに従うステップ３０５〜３０７において、試験合格データ保存手段として作用する。
【００２１】
以下同様にして、他の管理ポイントについても、収集試験データと現場収集データとの一致・不一致を判断し、試験合格データを記憶装置４Ｄに保存する。
なお、上述した例では、ステップ３０７において、収集試験データＤ１’〜Ｄｎ’を試験合格データとして保存するようにしたが、現場収集データＤ１〜Ｄｎを試験合格データとして保存するようにしてもよい。
【００２２】
〔自動試験〕
図４はＣＰＵ４Ａが実行する自動試験プログラムを示すフローチャートである。自動試験を行う場合、オペレータは、画面上で所望の自動試験項目（機能）を選定する（ステップ４０１）。ＣＰＵ４Ａは、記憶装置４Ｄに保存されている試験合格データより自動試験項目として選定された機能を実行するためのデータを取り出し（ステップ４０２）、この取り出した試験合格データをシーケンサ５へ送る（ステップ４０３）。また、中央監視装置１へ、選定された機能の実行指令を送る（ステップ４０４）。
【００２３】
例えば、自動試験項目として室内温度の日報作成機能が選定された場合、ＣＰＵ４Ａは、室内温度の日報作成機能を実行するためのデータとして記憶装置４Ｄに保存されている試験合格データＤ１’〜Ｄｎ’を取り出し、この試験合格データＤ１’〜Ｄｎ’をシーケンサ５へ送る。また、中央監視装置１へ、室内温度の日報作成機能の実行指令を送る。
【００２４】
シーケンサ５は、パソコン４から送られてきた試験合格データ（時系列データ）Ｄ１’〜Ｄｎ’を試験データとし、被試験監視システム１００に順次投入する。中央監視装置１は、この被監視システム１００に投入された試験データＤ１’〜Ｄｎ’を、下位コントローラ３および上位コントローラ２を介して試験データＤ１”〜Ｄｎ”として収集し、この収集した試験データＤ１”〜Ｄｎ”を加工して室内温度の日報を作成する。例えば、収集した試験データＤ１”〜Ｄｎ”より室内温度の１時間毎の平均値ＤＡＶ１  〜ＤＡＶ２４を求め、図６に示すような日報を作成する。
【００２５】
ＣＰＵ４Ａは、中央監視装置１が求めた室内温度の１時間毎の平均値ＤＡＶ１  〜ＤＡＶ２４を室内温度の日報作成機能の実行結果として取り込み（ステップ４０５）、この室内温度の日報作成機能の実行結果ＤＡＶ１  〜ＤＡＶ２４と試験合格データＤ１’〜Ｄｎ’を編集して得られるその実行結果に対するデータ（合格データ）ＤＡＶ１  ’〜ＤＡＶ２４’との一致・不一致を判断し（ステップ４０６）、両者が一致していれば（ステップ４０７のＹＥＳ）、被試験監視システム１００での室内温度の日報作成機能の実行結果は合格であると判定する（ステップ４０８）。両者が一致していなければ（ステップ４０７のＮＯ）、被試験監視システム１００での室内温度の日報作成機能の実行結果は不合格であると判定する（ステップ４０９）。パソコン４およびシーケンサ５は、この自動試験プログラムに従うステップ４０１〜４０９において、自動試験手段として作用する。
【００２６】
なお、上述においては、自動試験項目として室内温度の日報作成機能を選定した場合を例にとって説明したが、自動試験項目として他の機能を選定した場合にも同様にして、その選定された機能の実行結果の合否判定が行われる。これにより、試験合格データが繰り返し利用されるものとなり、試験効率の向上が図られる。
【００２７】
【発明の効果】
以上説明したことから明らかなように本発明によれば、稼働中の他の監視システムにおいて実際に収集されたデータを現場収集データとし、この現場収集データを試験データとして被試験監視システムに投入するようにしたので、オペレータによる試験データの作成の手間をなくすことができると同時に、現場に近い環境で評価試験を行うことができるようになる。
また、現場収集データと収集試験データとが一致しているとの判断結果を得てその何れか一方を試験合格データとして保存することにより、この保存した試験合格データを利用して所望の機能を選定しての自動試験を行わせることが可能となり、試験合格データを繰り返し利用することで、試験効率の向上を図ることができる。
【図面の簡単な説明】
【図１】本発明の一実施の形態を用いた試験システムの構成図である。
【図２】パソコンを中心とする試験評価装置のハード構成の概略を示す図である。
【図３】ＣＰＵが実行する自動試験準備プログラムを示すフローチャートである。
【図４】ＣＰＵが実行する自動試験プログラムを示すフローチャートである。
【図５】稼働中の他の監視システムにおいて実際に収集された室内温度の時系列データ（現場収集データ）および中央監視装置で収集される室内温度の時系列データ（収集試験データ）を例示する図である。
【図６】中央監視装置において作成される室内温度の日報を例示する図である。
【図７】従来の監視システムの評価試験方法を説明する図である。
【図８】オペレータによって作成された室内温度の時系列データ（試験データ）および中央監視装置で収集される室内温度の時系列データ（収集試験データ）を例示する図である。
【符号の説明】
１００…被試験監視システム、２００…評価試験装置、１…中央監視装置、２…上位コントローラ、３…下位コントローラ、Ｌ１，Ｌ２…通信線、４…パーソナルコンピュータ（パソコン）、５…シーケンサ、４Ａ…ＣＰＵ、４Ｃ…ＲＯＭ、４Ｄ…記憶装置、４Ｅ…ディスプレイ、４Ｆ…フレキシブルディスクドライブ（ＦＤＤ）、４Ｇ…ＣＤ−ＲＯＭドライブ、４Ｈ…マウス、４Ｉ…キーボード、４Ｊ〜４Ｐ…インターフェイス。
【図１】
2004227125.tif 000003
【図２】
2004227125.tif 000004
【図３】
2004227125.tif 000005
【図４】
2004227125.tif 000006
【図５】
2004227125.tif 000007
【図６】
2004227125.tif 000008
【図７】
2004227125.tif 000009
【図８】
2004227125.tif 000010